(57)【要約】      （修正有）【課題】ヘッド部を水平又は垂直方向に回転可能に設けた回転歯ブラシにおいて、歯を磨く際にヘッド部が左右に回転する問題がなく、安定的且に歯磨きがでる歯ブラシのを提供する。【解決手段】レバーが設けられたつまみ部；レバーと連動され、つまみ部の長手方向に沿って直線移動する作動ロッド；作動ロッドのティルティング案内溝に結合され作動ロッドが前方に移動する際に、傾斜するようにティルティングされるティルティング部材４００；回転軸がティルティング部材４００に回転可能に固定され、ティルティング部材４００とともに傾斜するようにティルティングされ、植毛されたヘッド部２００；回転軸に連結され、作動ロッドが前方に移動される際に回転軸を回転させ、これにヘッド部を、つまみ部に対してＴ字をなすようにする回転駆動部材５００；及びつまみ部とレバーの間に備えられ、レバーを前方向又は後方向に回転した状態で固定する第１固定部を含む。【選択図】図３
2014018665.tif 000002
【特許請求の範囲】
【請求項１】
レバーが設けられたつまみ部；
前記レバーと連動され前記つまみ部の長手方向に沿って直線移動する作動ロッド；
前記作動ロッドのティルティング案内溝に結合され作動ロッドが前方に移動する際に、傾斜するようにティルティングされるティルティング部材；
回転軸が前記ティルティング部材に回転可能に固定され、前記ティルティング部材とともに傾斜するようにティルティングされ、歯ブラシの毛が植毛されたヘッド部；
前記作動ロッドと、前記回転軸に連結され、前記作動ロッドが前方に移動される際に前記回転軸を回転させ、これに前記ヘッド部を、前記つまみ部に対してＴ字をなすようにする回転駆動部材；及び
前記つまみ部とレバーの間に備えられ、前記レバーを前方向又は後方向に回転した状態で固定する第１固定部を含むことを特徴とする回転歯ブラシ。
【請求項２】
前記第１固定部は、前記レバーに形成される第１固定突起と、前記つまみ部の内側に設けられ、前記第１固定突起が移動可能に挿入される案内溝と、前記案内溝の両端部にそれぞれ備えられ、前記第１固定突起が挿入されて固定される固定溝が形成された第１固定片を含むことを特徴とする請求項１に記載の回転歯ブラシ。
【請求項３】
前記レバーは、前記つまみ部の内側に設けられたレバー軸と、前記レバー軸を中心に前記つまみ部の前後方向に回転するレバー本体と、前記レバー本体の外側面に備えられ、レバー本体を前後方向に回転させる押し片を含み、
前記レバー本体には緩衝孔が形成され、前記緩衝孔と押し片の間の前記レバー本体に前記第１固定突起が形成されることを特徴とする請求項２に記載の回転歯ブラシ。
【請求項４】
前記押し片は、前記レバー本体に着脱可能に結合することを特徴とする請求項３に記載の回転歯ブラシ。
【請求項５】
前記作動ロッドとヘッド部の間には、レバーにより作動ロッドが前方に移動した状態で固定する第２固定部が備えられることを特徴とする請求項１に記載の回転歯ブラシ。
【請求項６】
前記第２固定部は、作動ロッドの一側に形成される第２固定突起と、前記ヘッド部の内側に備えられ、作動ロッドの前方に直線移動する際に第２固定突起が係止されながら固定される第２固定片とを含むことを特徴とする請求項５に記載の回転歯ブラシ。
【請求項７】
前記作動ロッドの後端には、結合ピンに連結されたクリップが挿入されて結合され、
前記クリップは、前記レバーに連結され、前記レバーが前後方向に移動すると、連動して前記作動ロッドを前後方向に直線移動させることを特徴とする請求項１に記載の回転歯ブラシ。
【請求項８】
前記のクリップと前記つまみ部の間には、前記レバーにより前記クリップが後方に直線移動した状態で固定する第３固定部が備えられることを特徴とする請求項７に記載の回転歯ブラシ。
【請求項９】
前記第３固定部は、前記クリップの一側に形成される第３固定突起と、前記つまみ部の内側に備えられ、クリップが後方に直線移動する際、第３固定突起が係止されながら固定される第３固定片とを含むことを特徴とする請求項８に記載の回転歯ブラシ。
【請求項１０】
前記つまみ部は、レバーが備えられるつまみ部本体と、前記ヘッド部が備えられるつまみ部ヘッドとで形成され、
前記つまみ部本体は、前記つまみ部と、前記つまみ部と前記つまみ部ヘッドを連結する中央部と、前記つまみ部及び前記中央部の内部に備えられ、前記レバーが設けられているレバー装着部とを形成することを特徴とする請求項１又は請求項９に記載の回転歯ブラシ。
【請求項１１】
前記回転軸が位置する前記つまみ部ヘッド及び作動ロッドには、つまみ部洗浄孔及びロッド洗浄孔がそれぞれ形成されることを特徴とする請求項１０に記載の回転歯ブラシ。
【請求項１２】
前記つまみ部洗浄孔又は前記ロッド洗浄孔は、回転軸よりも大きな直径を有することを特徴とする請求項１１に記載の回転歯ブラシ。
【請求項１３】
前記つまみ部洗浄孔又は前記ロッド洗浄孔は、同一の垂直軸線に円形で形成することを特徴とする請求項１１に記載の回転歯ブラシ。
【請求項１４】
前記回転駆動部材は、剛性を有する金属又は非金属材で形成することを特徴とする請求項１１に記載の回転歯ブラシ。
【発明の詳細な説明】
【技術分野】
【０００１】
本発明は、回転歯ブラシに関するものであって、より詳細には、歯磨きを上下方向又は左右方向に自在に回転させることができるだけでなく、歯ブラシの毛が植毛されたヘッド部を仮固定し、これにより安定的且つ正確に歯磨きができる回転歯ブラシに関するものである。
【背景技術】
【０００２】
一般的に使用されている歯ブラシは、つまみ部と毛先が植毛されたヘッド部が一字形に構成されている。ところが、一字形の歯ブラシで歯を磨く際には、左右方向に歯磨きをすることになり、歯の間に挟まった異物が完全に除去されないだけでなく、琺瑯質（ｅｎａｍｅｌ)が損傷され易く歯牙疾患の主な原因となる。
【０００３】
これを防止するため、歯を磨く際に歯茎から歯牙端へくしけずるように使うよう推奨されているが、一字形の歯ブラシの場合、構造的に上下方向に動き難いため、習慣的に左右方向に歯磨きをすることになり、琺瑯質の損傷を基本的に防止することができないとの問題点がある。
【０００４】
一方、一字形の歯ブラシで上下方向に歯磨きをするとしても、手首関節の動きが多いので、手首関節が損傷され易いとの問題点がある。そこで、本出願人は、左右方向だけでなく上下方向にも歯磨きをすることができるよう、特許登録番号第１０３６６７４号に「回転ブラシ」を開示した。即ち、従来技術による回転歯ブラシは、歯ブラシの毛が植毛されたヘッド部を水平又は垂直方向に回転可能に設けており、これにより上下方向又は左右方向に自在に歯磨きをすることができる。ところが、従来技術による回転歯ブラシは、歯を磨く際にヘッド部が所定角度の左右に回転するとの問題があり、これにより安定的且つ正確な歯磨きができないとの問題があった。
【先行技術文献】
【特許文献】
【０００５】
【特許文献１】韓国特許登録番号第１０３６６７４号公報
【発明の概要】
【発明が解決しようとする課題】
【０００６】
本発明は前述した問題点を解決するためのものであって、本発明が解決しようとする技術的課題は、つまみ部の回転とともにティルティングされるヘッド部を回転しないよう仮固定し、これに安定的且つ正確に歯磨きができる回転歯ブラシを提供することである。
【課題を解決するための手段】
【０００７】
前述した技術的課題を達成するための手段として、本発明の回転歯ブラシは、レバーが設けられたつまみ部；前記レバーと連動され前記つまみ部の長手方向に沿って直線移動する作動ロッド；前記作動ロッドのティルティング案内溝に結合され作動ロッドが前方に移動する際に、傾斜するようにティルティングされるティルティング部材；回転軸が前記ティルティング部材に回転可能に固定され、前記ティルティング部材とともに傾斜するようにティルティングされ、歯ブラシの毛が植毛されたヘッド部；前記作動ロッドと、前記回転軸に連結され、前記作動ロッドが前方に移動される際に前記回転軸を回転させ、これに前記ヘッド部を、前記つまみ部に対してＴ字をなすようにする回転駆動部材；及び前記つまみ部とレバーの間に備えられ、前記レバーを前方向又は後方向に回転した状態で固定する第１固定部を含むことを特徴とする。
【０００８】
前記第１固定部は、前記レバーに形成される第１固定突起と、前記つまみ部の内側に設けられ、前記第１固定突起が移動可能に挿入される案内溝と、前記案内溝の両端部にそれぞれ備えられ、前記第１固定突起が挿入されて固定される固定溝が形成された第１固定片を含むことを特徴とする。
【０００９】
前記レバーは、前記つまみ部の内側に設けられたレバー軸と、前記レバー軸を中心に前記つまみ部の前後方向に回転するレバー本体と、前記レバー本体の外側面に備えられ、レバー本体を前後方向に回転させる押し片を含み、前記レバー本体には緩衝孔が形成され、前記緩衝孔と押し片の間の前記レバー本体に前記第１固定突起が形成されることを特徴とする。
【００１０】
前記押し片は、前記レバー本体に着脱可能に結合することを特徴とする。前記作動ロッドとヘッド部の間には、レバーにより作動ロッドが前方に直線移動した状態で固定する第２固定部が備えられることを特徴とする。
【００１１】
前記第２固定部は、作動ロッドの一側に形成される第２固定突起と、前記ヘッド部の内側に備えられ、作動ロッドの前方に直線移動する際に第２固定突起が係止されながら固定される第２固定片を含むことを特徴とする。
【００１２】
前記作動ロッドの後端には、結合ピンに連結されたクリップが挿入されて結合され、前記クリップは前記レバーに連結され、前記レバーが前後方向に移動すると、連動して前記作動ロッドを前後方向に直線移動させることを特徴とする。
【００１３】
前記クリップと前記つまみ部の間には、前記レバーにより前記クリップが後方に直線移動した状態で固定する第３固定部が備えられることを特徴とする。前記第３固定部は、前記クリップの一側に形成される第３固定突起と、前記つまみ部の内側に備えられ、クリップが後方に直線移動する際、第３固定突起が係止されながら固定される第３固定片を含むことを特徴とする。
【００１４】
前記つまみ部は、レバーが備えられるつまみ部本体と、前記ヘッド部が備えられるつまみ部がヘッドに形成され、前記つまみ部本体はつまみ部と、前記つまみ部とつまみ部ヘッドを連結する中央部と、つまみ部及び中央部の内部に備えられ、レバーが設けられているレバー装着部を形成することを特徴とする。
【００１５】
前記回転軸が位置する前記つまみ部及び作動ロッドには、つまみ部洗浄孔及びロッド洗浄孔がそれぞれ形成されることを特徴とする。前記つまみ部洗浄孔又は前記ロッド洗浄孔は、回転軸よりも大きな直径を有することを特徴とする。前記つまみ部洗浄孔又は前記ロッド洗浄孔は、同一の垂直軸線に円形で形成することを特徴とする。
【００１６】
前記回転駆動部材は、剛性を有する金属又は非金属材で形成することを特徴とする。前記回転駆動部材は、前記動作ロッドと前記回転軸のボルトを用いて固定されることを特徴とする。
【発明の効果】
【００１７】
本発明によれば、第１、第２及び第３固定部がヘッド部を回転させないように仮固定し、これにより安定性且つ正確に歯磨きをすることができる。また、ヘッド部が位置するつまみ部がヘッドにつまみ部開放孔及びロッド開放孔を形成し、歯磨き粉及び食べカスの異物を除去することができ、これに作動性及び清潔性を維持させることができる。
【図面の簡単な説明】
【００１８】
【図１】本発明に係る回転歯ブラシの組立斜視図である。
【図２】本発明に係る回転歯ブラシの側面図である。
【図３】本発明による回転歯ブラシの分離斜視図である。
【図４】本発明に係る回転歯ブラシの分離された拡大図である。
【図５ａ】本発明に係る回転歯ブラシの組み立てられた拡大図であって、つまみ部のヘッドが組み立てられた状態の斜視図である。
【図５ｂ】本発明に係る回転歯ブラシの組み立てられた拡大図であって、つまみ部のヘッドを外した状態の斜視図である。
【図５ｃ】本発明に係る回転歯ブラシの組み立てられた拡大図であって、ロッドヘッドが外れた状態の斜視図である。
【図６】本発明に係る回転歯ブラシの断面図である。
【図７】本発明に係る回転歯ブラシの第１及び第３固定部を示す断面図である。
【図８】本発明に係る回転歯ブラシの第２固定部を示す断面図である。
【発明を実施するための最良の形態】
【００１９】
本発明に係る回転歯ブラシは、つまみ部の回転とともに、ティルティングされるヘッド部を固定する第１、第２及び第３固定部を含み、前記第１、第２及び第３固定部によりヘッド部の回転を防ぎ、これにより歯磨きの精度を向上させた構成である。
【００２０】
以下、図を参照して、本発明が属する技術分野における通常の知識を有する者が容易に実施することができるように、本発明の実施例を詳細に説明する。しかし、本発明は複数の異なる形態に具現され得るものであり、ここで説明する実施例に限定されない。なお、図において、本発明を明確に説明するために説明と関係ない部分は省略し、明細書全体を通じて類似した部分に対しては類似した図面符号を付けた。
【００２１】
本発明に係る回転歯ブラシは、図１乃至図３に示すように、レバー１３０が設けられたつまみ部１００、底面に歯ブラシの毛２１０が植毛され、上面に回転軸２２０が設けられたヘッド部２００、前記レバー１３０と連動され、つまみ部１００の長手方向に沿って直線移動する作動ロッド３００、回転軸２２０が回転可能に固定されて作動ロッド３００が前方に移動される際に加圧され、ヘッド部２００とともに上方向に傾斜するようにティルティングされるティルティング部材４００、作動ロッド３００と回転軸２２０に連結され、作動ロッド３００が前方に移動する際に回転軸２２０を回転させ、これによりヘッド部２００がつまみ部１００を傾斜するようにティルティングされた状態でＴ字をなすようにする回転駆動部材５００を含む。
【００２２】
つまみ部１００は、使用者が把持するためのものであって、レバーが備えられるつまみ部本体１１０とヘッド部が備えられるつまみ部ヘッド１２０が分離可能に組み立てられる。このため、つまみ部ヘッド１２０の後端内側面には、つまみ部本体１１０に向かってフックが突出形成されており、前記フックがつまみ部本体１１０の内側面に係止されながら、分離可能に組み立てられる。
【００２３】
ここで、つまみ部本体１１０はつまみ部１１１と、つまみ部１１１とつまみ部ヘッド１２０を連結する中央部１１２と、つまみ部１１１及び中央部１１２の内部に備えられ、レバー１３０が設けられるレバー装着部１１３を形成する。
【００２４】
一方、中央部１１２は、透明又は半透明素材のいずれかの素材で製作することができ、さらに、赤、黄色、青及び黒等のいずれか又は２つ以上の色で作ることができる。
【００２５】
一方、つまみ部本体１１０は、つまみ部１１１及び中央部１１２の内部にレバー１３０が設けられたレバー装着部１１３をさらに備える。即ち、つまみ部本体１１０は、レバー装着部１１３の両側に様々な形及び大きさのつまみ部１１１及び中央部１１２の結合が可能であり、これに多様な模様と大きさを有する回転歯ブラシを具現することができる。
【００２６】
一方、つまみ部本体１１０には、レバー１３０がレバー軸１３１を中心に、前後方向(回転歯ブラシの長手方向)に回転可能に設けられる。
【００２７】
レバー１１１は、つまみ部本体１１０のレバー装着部１１３の内側に設けられたレバー軸１３１と、レバー軸１３１を中心につまみ部１００の前後方向に回転するレバー本体１３２と、レバー本体１３２の外側面に備えられ、レバー本体１３２を前後方向に回転させる押し片１３３を含む。
【００２８】
ここで押し片１３３は、つまみ部本体１１０の外部に露出されたレバー本体１３２の外側面に結合される。即ち、押し片１３３に形成された結合部１３３ａがレバー本体１３２の外側面に形成された結合溝１３２ａに結合され、これを使用することにより押し片１３３が磨耗又は破損すると、レバー本体１３２から押し片１３３のみ交換すればレバー１３０の使用が可能である。
【００２９】
つまみ部ヘッド１２０は、後述する作動ロッドのロッドヘッドを取り囲む形状でなる。
【００３０】
ヘッド部２００は、図４に示したところのように、つまみ部ヘッド１２０に配置され、植毛された歯ブラシの毛２１０を用いて歯磨きをする部分であって、底面に歯ブラシの毛２１０が植毛され、上面に回転軸２２０が設けられ、前記回転軸２２０は、ティルティング部材４００に自在回転可能に装着される。
【００３１】
作動ロッド３００は、レバー１３０と結合されるものであって、つまみ部１００の内部に設けられ、レバー１３０と連動されつまみ部１００の長手方向に沿って直線移動し、これに後述するティルティング部材４００を所定角度ティルティングするように案内する。即ち、作動ロッド３００は、図３、図５ａ〜図５ｃに示したところのように、レバー１３０と連動可能に接続されたロッド本体３１０と、ロッド本体３１０の前段に一体結合され、両側面にティルティング部材４００のティルティング案内突起４１０が案内するためのティルティング案内溝３２２が形成されたロッドヘッド３２０を含む。
【００３２】
一方、作動ロッド３００の後端には、結合ピンで連結されたクリップ３３０が嵌合され、クリップ３３０は、レバー１３０に連結されてレバー１３０が前後方向に移動すると、連動して作動ロッド３００を前後方向に直線移動させる。
【００３３】
ロッドヘッド３２０は、底面につまみ部１００の前方に貫通されるように案内溝３２１が形成され、案内溝３２１の両側の内壁にティルティング案内溝３２２が形成される。
【００３４】
さらに、ティルティング案内溝３２２は、案内溝３２１の内壁につまみ部１００の長手方向に形成され、一側から他側に行くほど徐々に下降傾斜するように形成され、ティルティング案内溝３２２に沿ってティルティング部材４００のティルティング案内突起４１０が移動される場合、ティルティング部材４００とともにヘッド部２００が上下に移動する。この際、回転駆動部材５００がヘッド部２００の回転軸２２０に固定されながら、ヘッド部２００の一側は下方移動しないように固定され、他側は下方移動し、これによりヘッド部２００とともにティルティング部材４００を所定角度傾斜するようにティルティングさせる。
【００３５】
ティルティング部材４００は、ヘッド部２００の回転軸２２０が回転可能に挿入支持され、前記ロッドヘッド３２０の案内溝３２１に挿入され、両側の外壁にティルティング案内溝３２２に結合されるティルティング案内突起４１０が形成される。即ち、ティルティング部材４００は作動ロッド３００が前方に移動する際に加圧され、ティルティング部材４００のティルティング案内突起４１０がティルティング案内溝３２２に沿って移動しながら所定角度ティルティングされる。
【００３６】
回転駆動部材５００は、ティルティング部材４００とともにヘッド部２００を回転させるためのものであって、ピン状を有し、両側端部が前記作動ロッド３００と、前記回転軸２２０にそれぞれ連結固定されている。即ち、回転駆動部材５００は、一端５１０が作動ロッド３００に固定され、他端５２０が回転軸２２０に自在回転可能に固定される。
【００３７】
これにより、作動ロッド３００が前方に移動すると、ティルティング部材４００とともに、ヘッド部２００が前方に移動する力が伝わるが、この際、ヘッド部２００は、回転駆動部材５００の他端５２０の固定力により前方に移動すると同時に回転し、さらに回転駆動部材５００の他端５２０による加圧力によってヘッド部２００が下方向に押されながら所定角度ティルティングされる。したがって、回転駆動部材５００は、ヘッド部２００を回転させると同時に、ティルティングされるように加圧する機能を行い、これにヘッド部２００が前記つまみ部１００に対して所定角度ティルティングした状態でＴ字をなすようにする。
【００３８】
一方、ヘッド部２００がつまみ部１００に対してティルティングされる角度は１°〜３０°であり、好ましくは３°〜１５°のティルティング角度を有する。
【００３９】
ここで、前記回転駆動部材５００は作動ロッド３００と回転軸２２０等との作動時の干渉を最小化する一方、つまみ部１００の大きさを最小限に抑え、長時間使用にも破損されないように金属又は非金属材で設ける。
【００４０】
一方、前記回転駆動部材５００の両側端部は、図６に示すところのように、前記作動ロッド３００と、前記回転軸２２０にボルトを用いて連結固定され、これに回転駆動部材５００の両側端部をより強固に固定することにより、ヘッド部２００ティルティング時に押さえることで歯磨きの際にヘッド部２００の前後方向に流動を防ぐ一方、歯にヘッド部２００が強く押された場合、弱く緩衝しながら歯牙の損傷を防ぐ。即ち、前記金属又は非金属材である回転駆動部材５００は、歯を磨く場合、ヘッド部２００の流動を防ぎ安定した歯磨きを誘導するが、ヘッド部２００を強く押して歯を磨く場合、歯牙の損傷を防ぐためにヘッド部２００を緩衝する役割もする。
【００４１】
このような構成を有する本発明の回転歯ブラシは、つまみ部１００のレバー１３０動作時に作動ロッド３００が前進しながら、ティルティング部材４００とともにヘッド部２００が所定角度ティルティングされる一方、回転駆動部材５００により、ヘッド部２００は前記つまみ部１００に対してＴ字をなすようになる。
【００４２】
したがって、ヘッド部２００がつまみ部１００に対してＴ字をなすようにした状態で歯を磨くと、歯ブラシを歯牙に対して垂直に歯を磨くことが可能であり、手首の保護及び歯磨きの効率性を増大させることができる。ここで、前記つまみ部１００と作動ロッド３００には、図４及び図５に示すところのように、回転軸２２０が備えられたティルティング部材４００が位置した部分につまみ部開放孔１２１及びロッド開放孔３２３がそれぞれ形成される。
【００４３】
つまみ部開放孔１２１及びロッド開放孔３２３は、歯を磨く場合、回転軸２２０が備えられたティルティング部材４００が位置する部分のつまみ部１００及び作動ロッド３００に同一の形態と同一の垂直軸線に形成される。即ち、回転軸２２０、作動ロッド３００とティルティング部材４００を含むつまみ部ヘッド１２０の内部に歯磨き粉や食べカスなどの異物が侵入した場合のつまみ部の開放孔１２１とロッド開放孔３２３を介して綿棒又は水圧を用いて効果的に取り除くことができる。
【００４４】
一方、つまみ部開放孔１２１及びロッド開放孔３２３は円形でなされており、これに視覚的な高級感と、角がないので洗浄効率を増大する。一方、本発明の回転歯ブラシは、歯ブラシの毛２１０が植毛されたヘッド部２００が左又は右に回転した状態で仮固定させ、これによりヘッド部が回転されず、安定且つ正確な歯磨きができる。
【００４５】
即ち、つまみ部１００とレバー１３０の間には、図７に示すところのように、レバー１３０が前又は後に回転した後で挿入し固定されるように、第１固定部６００が備えられ、第１固定部６００はヘッド部２００をつまみ部１００からＴ字又はＩ字型の形態を維持させる。即ち、第１固定部６００は、レバー１３０に形成される第１固定突起６１０と、レバー装着部１１３の内壁に設けられ、第１固定突起６１０が移動可能に挿入される案内溝６２１と案内溝６２１の両側端部にそれぞれ設けられ、第１の固定突起６２１が挿入されて固定される固定溝６２２が形成された第１固定片６２０を含む。
【００４６】
このような第１固定部６００は、レバー１３０をつまみ部１００の前方に回転させると、レバー１３０とともに第１固定突起６１０が案内溝６２１に沿って前方に移動する。この際、第１固定突起６１０が案内溝６２１の前方終端に形成された固定溝６２２に挿入しながら固定され、これによりレバー１３０を後方向に回転させないように固定することによってヘッド部２００を前方に回転した状態で固定する。
【００４７】
以後、レバー１３０を強く後方向に回転させると、レバー１３０とともに第１固定突起６１０が固定溝６２２から離脱し、案内溝６２１に沿って移動した後、案内溝６２１の後方終端に形成された固定溝６２２に再度挿入しながら固定される。これにより、レバー１３０と連結されたヘッド部２００を回転した状態で固定する。したがって、第１固定部６００は、レバー１３０を前又は後に回転した状態で固定し、これにヘッド部２００を回転した状態で固定して安定且つ正確な歯磨きをすることができる。
【００４８】
一方、レバー本体１３２には、前後方向に形成された緩衝孔１３４が形成され、緩衝孔１３４と押し片１３３の間に第１固定突起６１０が形成される。即ち、押し片１３３を押すと、緩衝孔１３４によってレバー本体１３２が圧着されながら、第１固定突起６１０が上方向に移動し、これにより固定溝６２２に固定された第１固定突起６１０を簡単に離脱させることができる。
【００４９】
一方、作動ロッド３００とヘッド部２００の間には、図８に示すところのように、レバー１３０によって作動ロッド３００が前方に直線移動した後、係止して固定されるように第２固定部７００が備えられ、第２固定部７００は、ヘッド部２００をつまみ部１００からＴ字に回転した状態で固定する。即ち、第２固定部７００は作動ロッド３００の一側に形成される第２固定突起７１０と、ヘッド部２００の内側に設けられ、作動ロッド３００が前方に直線移動する際に第２固定突起７１０が係止されながら、固定される第２固定片７２０を含む。したがって、第２固定部７００は、第１固定部６００とヘッド部２００をＴ字に回転した状態で固定する。
【００５０】
一方、クリップ３３０とつまみ部１００の間には、図７に示すところのように、レバー１３０によってクリップ３３０が後方に直線移動した後、係止して固定されるように第３固定部８００が備えられ、第３固定部８００は、ヘッド部２００をつまみ部１００からＩ字回転した状態で固定する。即ち、第３固定部８００は、クリップ３３０の一側に形成される第３固定突起８１０と、つまみ部１００の内側に備えられ、クリップ３３０が後方に直線移動する際に第３固定突起８１０が挿入固定される第３固定片８２０を含む。したがって、第２固定部７００は、第１固定部６００とともにヘッド部２００がＩ字に回転した状態で固定する。
【００５１】
このように、第１、第２及び第３固定部６００、７００、８００によって、ヘッド部を回転させないように仮固定することにより、安定的且つ正確に歯磨きすることができる。
【００５２】
本発明の範囲は、前記の詳細な説明よりは後述する特許請求範囲によって示されるものであり、特許請求範囲の意味及び範囲、さらにその均等概念から導き出される全ての変更又は変形された形態が本発明の範囲に含まれるものとして解釈されるべきである。
【符号の説明】
【００５３】
１００：つまみ部
２００：ヘッド部
３００：作動ロッド
４００：ティルティング部材
５００：回転駆動部材
６００：第１固定部
７００：第２固定部
８００：第３固定部
【図１】
2014018665.tif 000003
【図２】
2014018665.tif 000004
【図３】
2014018665.tif 000005
【図４】
2014018665.tif 000006
【図５ａ】
2014018665.tif 000007
【図５ｂ】
2014018665.tif 000008
【図５ｃ】
2014018665.tif 000009
【図６】
2014018665.tif 000010
【図７】
2014018665.tif 000011
【図８】
2014018665.tif 000012